(57)【要約】      （修正有）【課題】複数の同形状の構造用集成材を同時に湾曲させる湾曲構造用集成材の製造方法を提供する。【解決手段】板材に接着剤を塗布し、必要枚数の板材を重ね合わせて形成した集成材４を、プレス装置で圧締して、一工程のプレスにて１枚以上複数枚の内半径の等しい断面の湾曲構造用集成材を製造する方法において、湾曲状突部を有する雄治具２を固定し、湾曲状凹部を有する雌治具１側をプレス装置６で雄治具２側に圧締して製造するにあたって、前記集成材４間には中心は高く、左右に離れるにしたがって高さが徐々に低くなる三日月型パッキン３を介在させる。【選択図】図３
2017047591.tif 000002
【特許請求の範囲】
【請求項１】
板材に接着剤を塗布し、必要枚数の板材を重ね合わせて形成した集成材を、プレス装置で圧締して、一工程のプレスにて１枚以上複数枚の内半径の等しい断面の湾曲構造用集成材を製造する方法において、湾曲状突部を有する雄治具を固定し、湾曲状凹部を有する雌治具をプレス装置で雄治具側に圧締して製造するにあたって、前記集成材間には中心は高く、左右に離れるにしたがって高さが徐々に低くなる三日月型パッキンを介在させることにより、複数の同形状の構造用集成材を同時に湾曲させることを特徴とする湾曲構造用集成材の製造方法。
【請求項２】
前記雄治具、雌治具、三日月型パッキンを集成材で形成したことを特徴とする請求項１に記載の湾曲構造用集成材の製造方法。
【発明の詳細な説明】
【技術分野】
【０００１】
本発明は、湾曲構造用集成材を同時に複数製作することが可能な湾曲構造用集成材の製造方法に関するものである。
【背景技術】
【０００２】
従来技術としては、板材に接着剤を塗布し、必要枚数の板材を重ね合わせて形成した集成材を、プレス装置で中心より両側に向かい、順次圧締して一工程のプレスにて、内半径の等しい小断面の湾曲集成材を製造する方法において、中心に配設した木片の高さが高く、左右に離れるに従って、高さが徐々に低くなる木片を板材に等間隔で固定して、正面から見て三日月状になる治具を各集成材間に挿入することにより、複数の同形状の集成材を同時に湾曲させる小断面の湾曲集成材の製造方法（例えば、特許文献１参照）が存在している。
【先行技術文献】
【特許文献】
【０００３】
【特許文献１】特開平１１−１９９０４号公報（特許請求の範囲の欄、発明の詳細な説明の欄、及び図１〜図３を参照）
【発明の概要】
【発明が解決しようとする課題】
【０００４】
この従来技術は、板材に接着剤を塗布し、必要枚数の板材を重ね合わせて形成した集成材を、プレス装置で中心より両側に向かい、順次圧締して一工程のプレスにて、内半径の等しい小断面の湾曲集成材を製造する方法において、中心に配設した木片の高さが高く、左右に離れるに従って、高さが徐々に低くなる木片を板材に等間隔で固定して、正面から見て三日月状になる治具を各集成材間に挿入することにより、複数の同形状の集成材を同時に湾曲させるものである。
しかしながら、中心に配設した木片の高さが高く、左右に離れるにしたがって、高さが徐々に低くなる木片を一枚の板材に等間隔で固定して、一枚の板材に固定したこの複数の木片からなる正面から見て三日月状になる治具を各集成材間に挿入することにより、内半径を基準として板材に接着剤を塗布し、必要枚数の板材を重ね合わせた集成材を載置し、プレス装置により中心より両側に向かい、順次圧締して湾曲させながら固定する技術であるため、中心は高く、左右に離れるに従って高さが徐々に低くなる木片の治具に沿って、順次高い木片から低い木片に合わせてプレス装置で順次圧締しなければならないのに対して、本発明は、全体に圧締できる雌・雄治具を使用することにより解決したものである。
雌雄の治具とパッキンは、集成材で形成することにより、鉄製の治具に比べ、安価にできる。また、特殊なものではなく通常の一般的なプレス装置で湾曲構造用集成材を製作することができる。圧締作業も従来の湾曲治具を使用するよりも、治具をプレス装置で前進させるだけなので、作業性が向上する。集成材をＮＣ加工機で削り出した中央が厚くて両側端にいくにしたがって薄くなる長い三日月型の板集成材で形成した治具とを併せ利用して圧締することで湾曲構造用集成材を製造するものである。
さらに、一般的なプレス装置を使用した一回の圧締作業で、４〜６本の湾曲構造用集成材を同時に製作することができる。
また、従来の治具は全面に同時に圧力を掛けないため、圧締治具から取り出した時に、湾曲の形状に変化が生じてしまうという問題点もある。
【課題を解決するための手段】
【０００５】
上記の目的を達成することができる本発明の第１発明は、請求項１に記載された通りの湾曲構造用集成材の製造方法であり、次のようなものである。
板材に接着剤を塗布し、必要枚数の板材を重ね合わせて形成した集成材を、プレス装置で圧締して、一工程のプレスにて１枚以上複数枚の内半径の等しい断面の湾曲構造用集成材を製造する方法において、湾曲状突部を有する雄治具を固定し、湾曲状凹部を有する雌治具をプレス装置で雄治具側に圧締して製造するにあたって、前記集成材間には中心は高く、左右に離れるにしたがって高さが徐々に低くなる三日月型パッキンを介在させることにより、複数の同形状の構造用集成材を同時に湾曲させる製造方法である。
【０００６】
上記の目的を達成することができる本発明の第２発明は、請求項２に記載された通りの湾曲構造用集成材の製造方法であり、次のようなものである。
請求項１に記載の発明に加えて、前記雄治具、雌治具、三日月型パッキンを集成材で形成するものである。
【発明の効果】
【０００７】
本発明に係る湾曲構造用集成材の製造方法は、上記説明のような構成を有するので、以下に記載する効果を奏する。
（１）特殊な治具形状なので集成材にする板材の全体を圧締できる。
（２）一般の通常のプレス装置で湾曲構造用集成材を製作することができる。
（３）圧締作業としては、治具をプレス装置で前進させるだけで良いので、作業性が向上する。
（４）中央が厚くて両側端部にいくにしたがって薄くなる三日月型の治具を使用するので、全面に圧力を掛けることができる。
（５）一般的なプレス装置を使用した一回の圧締作業で、４〜６本の湾曲構造用集成材を同時に製作することができる。
（６）湾曲構造用集成材の形状が安定的な状態で提供することができる。
【発明を実施するための形態】
【０００８】
板材に接着剤を塗布し、必要枚数の板材を重ね合わせて形成した集成材を、プレス装置で圧締して、一工程のプレスにて１枚以上複数枚の内半径の等しい断面の湾曲構造用集成材を製造する方法において、湾曲状突部を有する雄治具を固定し、湾曲状凹部を有する雌治具をプレス装置で雄治具側に圧締して製造するにあたって、前記集成材間には中心は高く、左右に離れるにしたがって高さが徐々に低くなる三日月型パッキンを介在させることにより、複数の同形状の構造用集成材を同時に湾曲させる湾曲構造用集成材の製造方法である。
【図面の簡単な説明】
【０００９】
【図１】本発明の集成材で形成した雌治具の一実施例を示す概略正面図である。
【図２】本発明の集成材で形成した雄治具の一実施例を示す概略正面図である。
【図３】本発明の湾曲構造用集成材をプレス装置で圧締する前段階の一実施例を示す概略正面図である。
【図４】本発明の湾曲構造用集成材をプレス装置で圧締した状態の一実施例を示す概略正面図である。
【実施例１】
【００１０】
以下、本発明の一実施例を添付図面で詳細に説明する。
図１に示すものは、本発明の集成材で形成した雌治具の一実施例を示す概略正面図、図２に示すものは、本発明の集成材で形成した雄治具の一実施例を示す概略正面図、図３に示すものは、本発明の湾曲構造用集成材をプレス装置で圧締する前段階の一実施例を示す概略正面図、図４に示すものは、本発明の湾曲構造用集成材をプレス装置で圧締した状態の一実施例を示す概略正面図である。
【００１１】
湾曲構造用集成材を生産する場合、図３に示すように、直板集成材４に接着剤を塗布し、必要枚数の直板集成材４を重ね合わせ、この重ね合わせられた集成材を複数用意し、この各集成材間に、図３に示したものからも理解できるように、中心は高く、左右に離れるにしたがって高さが徐々に低くなる断面形状が三日月型のパッキン３を介在させてセットする。この三日月型パッキン３は、内半径及び背の高さ等によって種々設計計算して割り出された高さ、幅にするものであり（例えば、中心の高い部分は３ｍｍ、両端部は１ｍｍの高さにするものが考えられる。）、湾曲構造用集成材の製造数に合わせて各集成材の間にセットしてプレス装置６で圧締して湾曲させながら成形する方法である。図３に示すように、プレス装置６により、雄治具２を固定し、雌治具１を前進圧締することで集成材を両端側から順次中心側に向けて圧締していくものである。この雌治具１、雄治具２の凹形状の凹みは、必要とする湾曲形状に合わせて形成するものである。また、三日月型パッキン３の形状も求める湾曲の形状に合わせて最適な三日月型にすることはいうまでもない。
なお、雌治具１の凹形状の凹みと、三日月型パッキン３と雄治具２との案内によってプレス装置６の圧締作用で両端側から徐々に曲げられ、追従しながら内半径を基準にした断面の湾曲構造用集成材を複数同時に製作することができる。
なお、本発明の三日月型パッキン３は捨板としてもよいし、再度使用することもできるものである。
【産業上の利用可能性】
【００１２】
湾曲構造用集成材だけでなく、各種の湾曲集成材の製造方法に利用することができる。
【符号の説明】
【００１３】
１・・・・雌治具
２・・・・雄治具
３・・・・三日月型パッキン
４・・・・直板集成材
５・・・・湾曲構造用集成材
６・・・・プレス装置
【図１】
2017047591.tif 000003
【図２】
2017047591.tif 000004
【図３】
2017047591.tif 000005
【図４】
2017047591.tif 000006
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
板材に接着剤を塗布し、必要枚数の接着剤を塗布した板材を重ね合わせて集成材を製造する方法で、プレス装置で圧締して、一工程のプレスにて１枚以上複数枚の内半径の等しい断面の湾曲構造用集成材を製造する方法において、湾曲状突部を有する雄治具を固定し、湾曲状凹部を有する雌治具をプレス装置で雄治具側に向けて圧締して製造するにあたって、前記複数枚の接着剤を塗布した板材から成る集成材間の全面に沿うように、中心は高く、左右に離れるにしたがって高さが徐々に低くなる横断面から見て三日月型のパッキンを介在させることにより、複数の同形状の湾曲構造用集成材を同時に湾曲させることを特徴とする湾曲構造用集成材の製造方法。
【請求項２】
前記雄治具、雌治具、三日月型パッキンを集成材で形成したことを特徴とする請求項１に記載の湾曲構造用集成材の製造方法。
【手続補正２】
【補正対象書類名】明細書
【補正対象項目名】全文
【補正方法】変更
【補正の内容】
【発明の詳細な説明】
【技術分野】
【０００１】
本発明は、湾曲構造用集成材を同時に複数製作することが可能な湾曲構造用集成材の製造方法に関するものである。
【背景技術】
【０００２】
従来技術としては、板材に接着剤を塗布し、必要枚数の板材を重ね合わせて形成した集成材を、プレス装置で中心より両側に向かい、順次圧締して一工程のプレスにて、内半径の等しい小断面の湾曲集成材を製造する方法において、中心に配設した木片の高さが高く、左右に離れるに従って、高さが徐々に低くなる木片を板材に等間隔で固定して、正面から見て三日月状になる治具を各集成材間に挿入することにより、複数の同形状の集成材を同時に湾曲させる小断面の湾曲集成材の製造方法（例えば、特許文献１参照）が存在している。
【先行技術文献】
【特許文献】
【０００３】
【特許文献１】特開平１１−１９９０４号公報（特許請求の範囲の欄、発明の詳細な説明の欄、及び図１〜図３を参照）
【発明の概要】
【発明が解決しようとする課題】
【０００４】
この従来技術は、板材に接着剤を塗布し、必要枚数の板材を重ね合わせて形成した集成材を、プレス装置で中心より両側に向かい、順次圧締して一工程のプレスにて、内半径の等しい小断面の湾曲集成材を製造する方法において、中心に配設した木片の高さが高く、左右に離れるに従って、高さが徐々に低くなる木片を板材に等間隔で固定して、正面から見て三日月状になる治具を各集成材間に挿入することにより、複数の同形状の集成材を同時に湾曲させるものである。
しかしながら、中心に配設した木片の高さが高く、左右に離れるにしたがって、高さが徐々に低くなる木片を一枚の板材に等間隔で固定して、一枚の板材に固定したこの複数の木片からなる正面から見て三日月状になる治具を各集成材間に挿入することにより、内半径を基準として板材に接着剤を塗布し、必要枚数の板材を重ね合わせた集成材を載置し、プレス装置により中心より両側に向かい、順次圧締して湾曲させながら固定する技術であるため、中心は高く、左右に離れるに従って高さが徐々に低くなる木片の治具に沿って、順次高い木片から低い木片に合わせてプレス装置で順次圧締しなければならないのに対して、本発明は、全体に圧締できる雌・雄治具を使用することにより解決したものである。
雌雄の治具とパッキンは、集成材で形成することにより、鉄製の治具に比べ、安価にできる。また、特殊なものではなく通常の一般的なプレス装置で湾曲構造用集成材を製作することができる。圧締作業も従来の湾曲治具を使用するよりも、治具をプレス装置で前進させるだけなので、作業性が向上する。集成材をＮＣ加工機で削り出した中央が厚くて両側端にいくにしたがって薄くなる長い三日月型の板集成材で形成した治具とを併せ利用して圧締することで湾曲構造用集成材を製造するものである。
さらに、一般的なプレス装置を使用した一回の圧締作業で、４〜６本の湾曲構造用集成材を同時に製作することができる。
また、従来の治具は全面に同時に圧力を掛けないため、圧締治具から取り出した時に、湾曲の形状に変化が生じてしまうという問題点もある。
【課題を解決するための手段】
【０００５】
上記の目的を達成することができる本発明の第１発明は、請求項１に記載された通りの湾曲構造用集成材の製造方法であり、次のようなものである。
板材に接着剤を塗布し、必要枚数の接着剤を塗布した板材を重ね合わせて集成材を製造する方法で、プレス装置で圧締して、一工程のプレスにて１枚以上複数枚の内半径の等しい断面の湾曲構造用集成材を製造する方法において、湾曲状突部を有する雄治具を固定し、湾曲状凹部を有する雌治具をプレス装置で雄治具側に向けて圧締して製造するにあたって、前記複数枚の接着剤を塗布した板材から成る集成材間の全面に沿うように、中心は高く、左右に離れるにしたがって高さが徐々に低くなる横断面から見て三日月型のパッキンを介在させることにより、複数の同形状の湾曲構造用集成材を同時に湾曲させる製造方法である。
【０００６】
上記の目的を達成することができる本発明の第２発明は、請求項２に記載された通りの湾曲構造用集成材の製造方法であり、次のようなものである。
請求項１に記載の発明に加えて、前記雄治具、雌治具、三日月型パッキンを集成材で形成するものである。
【発明の効果】
【０００７】
本発明に係る湾曲構造用集成材の製造方法は、上記説明のような構成を有するので、以下に記載する効果を奏する。
（１）特殊な治具形状なので集成材にする板材の全体を圧締できる。
（２）一般の通常のプレス装置で湾曲構造用集成材を製作することができる。
（３）圧締作業としては、治具をプレス装置で前進させるだけで良いので、作業性が向上する。
（４）中央が厚くて両側端部にいくにしたがって薄くなる三日月型の治具を使用するので、全面に圧力を掛けることができる。
（５）一般的なプレス装置を使用した一回の圧締作業で、４〜６本の湾曲構造用集成材を同時に製作することができる。
（６）湾曲構造用集成材の形状が安定的な状態で提供することができる。
【発明を実施するための形態】
【０００８】
板材に接着剤を塗布し、必要枚数の接着剤を塗布した板材を重ね合わせて集成材を製造する方法で、プレス装置で圧締して、一工程のプレスにて１枚以上複数枚の内半径の等しい断面の湾曲構造用集成材を製造する方法において、湾曲状突部を有する雄治具を固定し、湾曲状凹部を有する雌治具をプレス装置で雄治具側に向けて圧締して製造するにあたって、前記複数枚の接着剤を塗布した板材から成る集成材間の全面に沿うように、中心は高く、左右に離れるにしたがって高さが徐々に低くなる横断面から見て三日月型のパッキンを介在させることにより、複数の同形状の湾曲構造用集成材を同時に湾曲させる湾曲構造用集成材の製造方法である。
【図面の簡単な説明】
【０００９】
【図１】本発明の集成材で形成した雌治具の一実施例を示す概略正面図である。
【図２】本発明の集成材で形成した雄治具の一実施例を示す概略正面図である。
【図３】本発明の湾曲構造用集成材をプレス装置で圧締する前段階の一実施例を示す概略正面図である。
【図４】本発明の湾曲構造用集成材をプレス装置で圧締した状態の一実施例を示す概略正面図である。
【実施例１】
【００１０】
以下、本発明の一実施例を添付図面で詳細に説明する。
図１に示すものは、本発明の集成材で形成した雌治具の一実施例を示す概略正面図、図２に示すものは、本発明の集成材で形成した雄治具の一実施例を示す概略正面図、図３に示すものは、本発明の湾曲構造用集成材をプレス装置で圧締する前段階の一実施例を示す概略正面図、図４に示すものは、本発明の湾曲構造用集成材をプレス装置で圧締した状態の一実施例を示す概略正面図である。
【００１１】
湾曲構造用集成材を生産する場合、図３に示すように、直板集成材４に接着剤を塗布し、必要枚数の直板集成材４を重ね合わせ、この重ね合わせられた集成材を複数用意し、この各集成材間に、図３に示したものからも理解できるように、中心は高く、左右に離れるにしたがって高さが徐々に低くなる断面形状が三日月型のパッキン３を介在させてセットする。この三日月型パッキン３は、内半径及び背の高さ等によって種々設計計算して割り出された高さ、幅にするものであり（例えば、中心の高い部分は３ｍｍ、両端部は１ｍｍの高さにするものが考えられる。）、湾曲構造用集成材の製造数に合わせて各集成材の間にセットしてプレス装置６で圧締して湾曲させながら成形する方法である。図３に示すように、プレス装置６により、雄治具２を固定し、雌治具１を前進圧締することで集成材を両端側から順次中心側に向けて圧締していくものである。この雌治具１、雄治具２の凹形状の凹みは、必要とする湾曲形状に合わせて形成するものである。また、三日月型パッキン３の形状も求める湾曲の形状に合わせて最適な三日月型にすることはいうまでもない。
なお、雌治具１の凹形状の凹みと、三日月型パッキン３と雄治具２との案内によってプレス装置６の圧締作用で両端側から徐々に曲げられ、追従しながら内半径を基準にした断面の湾曲構造用集成材を複数同時に製作することができる。
なお、本発明の三日月型パッキン３は捨板としてもよいし、再度使用することもできるものである。
【産業上の利用可能性】
【００１２】
湾曲構造用集成材だけでなく、各種の湾曲集成材の製造方法に利用することができる。
【符号の説明】
【００１３】
１・・・・雌治具
２・・・・雄治具
３・・・・三日月型パッキン
４・・・・直板集成材
５・・・・湾曲構造用集成材
６・・・・プレス装置